(57)【特許請求の範囲】
【請求項１】
上部に頭部を有し中心に孔を有する軸部を設けその軸部の下部に軸部の長手方向に溝を形成すると共に軸部の孔内に突出する係止部を設けた締結具本体と、該締結具本体の孔に挿入し上記係止部を外方へ押し広げて係止させるピンを備え、そのピンの軸部の下部端面部に円錐状もしくは半球状の凹部を設けこの凹部内面を押すことによってピンが抜き出るようにし、上記締結具本体の軸部内周面またはピンの外周面にピンを仮止めするよう帯状に連続した凸部を設けると共に上記締結具本体の頭部を中心側が厚くなるようテ−パ−状に形成しその頭部の下面にも斜面部を形成しこの斜面部を変形可能な軟質の締結部材の取付孔周縁部に押し当てその周縁部を変形するようにした締結具。
【発明の詳細な説明】
【０００１】
【発明の属する技術分野】
本発明は、分解、組立が便利な締結具に関する。
【０００２】
【従来の技術】
上部につば部を有し下部に割溝部を有する有底中空軸状の鋲体を設け、この鋲体内にピンを打込んでその有底の割溝部を拡開して係止させるブラインドリベットが知られている。
【０００３】
【発明が解決しようとする課題】
しかし、この種のブラインドリベットは、分解する際にピンを鋲体のフランジ部側より引抜くようにしたものであって、鋲体の割溝部側はブラインドになっていてその側からは引き抜き作業をすることができないものである。
【０００４】
しかも、仮にピンの下端部を押して鋲体とピンを分離したとしても、その端面は凸面であったり、面取りが施こされていたりするので、端面を先の尖った物で押した場合に滑ってうまく押すことができないと共に、時には手をけがすることがあった。
【０００５】
更に、鋲体とピンは、締結するまではバラバラに置かれ、締結時に鋲体とピンを取り出してこれを結合するために手間がかかり、また締結具が小さい場合（特にピンが小さい場合）には、落とし易く、そのために紛失しまうことがあった。
【０００６】
本発明は、従来のブラインドリベットとは異種の締結具を提供しようとするものであって、締結具本体からピンを安全かつ確実に外すことができ、しかも分解、組立が簡便にでき、交換が容易にできる締結具を提供しようとするものである。
【０００７】
【課題を解決するための手段】
本発明は、上部に頭部を有し下部に係止部を有する締結具本体と、該締結具本体に形成した孔に挿入し上記係止部を外方へ押し拡げて係止させるピンを備え、そのピンの軸部の下部端面部に円錐状もしくは半球状の凹部を設け、この凹部内面を押すことによってピンを安全かつ容易に抜き出すことができ、その交換が容易にできるようにしている。
【０００８】
また、本発明は、上記締結具本体の内周面またはピンの外周面に突部を設け、締結前に締結具本体に上記ピンを仮止めしておくことができるものである。
【０００９】
更に、本発明は、上記締結具本体の頭部をテーパー状に形成し、その頭部下面に形成した斜面部を変形可能な軟質の締結部材の取付孔周縁部の押し当て、この周縁部を変形することによって上記頭部が表面より必要以上に突出しないようにしている。
【００１０】
【発明の実施の形態】
締結具（１）は、軸部（２）を有し、該軸部の中心に孔（３）を形成した締結具本体（４）と、この孔（３）に挿入するピン（５）を備えている。
【００１１】
締結具本体（４）の上部には、頭部（６）が設けられ、又締結具本体（４）の下部には、上記ピン（５）を摩擦力によって係止するように軸部（２）の孔（３）内に突出部（７）を形成した係止部（８）が設けられている。
なお、上記締結具本体（４）の下部には、溝（９）が形成され、この締結具本体（４）の孔（３）にピン（５）を挿入した際に、ピンの下端部が係止部（８）の突出部（７）に当ってこの係止部を外方に拡げる。
【００１２】
締結具本体（４）の頭部（６）は、その中心側が厚くなるようにテ−パ−状に形成され、これによって頭部の下面に斜面部(10)が形成されているので、上記締結具本体を変形可能な軟質の締結部材(11)と硬質の被締結部材(12)の取付孔(13)、(14)に挿入し（図２）、その頭部（６）を押圧すると、頭部の下面に形成した斜面部(10)が上記軟質の締結部材(11)の取付孔(13)の周縁部(15)を押圧し、周縁部を頭部の斜面部(10)に対応して斜面に変形させる（図３）。
【００１３】
ここで、締結具本体（４）の孔（３）にピン（５）を挿入すると、ピンの下端部が上記係止部（８）の突出部（７）に当り、係止部（８）を外方に拡げる。
この係止部（８）の拡開によって、係止部（８）が被締結部材(12)に係合し、締結部材(11)と被締結部材(12)が締結される（図４）。
【００１４】
実施例では、上記係止部の突出部（７）に曲面を設け、この曲面にピンを当てて係止部を円滑に外方へ拡げるようにしているが、この曲面は係止部の突出部（７）またはピン（５）の下端部のいずれか一方に設けるようにしてもよい。
【００１５】
なお、上記ピン（５）は、上部に頭部(16)を有し、この頭部を上記締結具本体（４）の上部に形成した皿状の穴(17)に係合するようにしているが、このピンの頭部(16)と、締結具本体の穴(17)は省略してもよい。
【００１６】
いずれにしても、締結後は、締結具本体（９）の上面とピン(10)の上面がほぼ同一面となり、しかも締結具の頭部の一部が上記締結部材(11)の取付孔(13)の周縁部(15)に食込んで頭部が表面より殆ど突出しない状態となるので、頭部が邪魔にならず、見栄えも良い。
【００１７】
図６に示すものは、締結具本体（４）の内周面にわずかに内面に突出する凸部(18)を設けた場合で、ピン（５）を予め締結具本体の孔（３）に差し込み、ピンの下端部を凸部(18)の位置より少し先まで挿入することによって仮止めしているものである。
【００１８】
なお、上記凸部(18)の表面を曲面（断面半円状等）にしておくと、ピン（５）を差し込んだ際に抵抗が少なくて好ましいが、摩擦抵抗の少ない形状のものであれば種々の形状のものを用いることができ、又締結具本体の内周面に帯状あるいは点状等と連続あるいは断続状態に形成することができる。
【００１９】
締結具（１）の締結状態を解除する場合は、ピン（５）の端部を突いてピンを部（６）側へ押し出せばよいが、その際にピンの端面部(19)に、円錐状もしくは半球状に形成した凹部(20)を設けておくと、先の尖った棒(21)の先端部が凹部(20)に案内されるので、ピンの端面より外れることがなくピンを楽にかつ確実に押し出すことができる。
【００２０】
なお、上記締結具は、金属材またはプラスチック材その他の材料で形成することができる。
【００２１】
【発明の効果】
本発明は、締結具のピン軸部の下部端面部に円錐状もしくは半球状の凹部を設けているので、その凹部に棒の先端部等を当てて押すことができ、その際先端部が凹部に案内され外れることがないので、ピンを確実かつ安全に外すことができ、その締結具の交換を容易にすることができる。
【００２２】
また、締結具本体の内周面に凸部を設けているので、締結する際に予め締結具本体にピンを仮止めしておくことができ、ピンを途中で紛失したりバラバラになったりすることがなく、締結の作業を円滑にかつ迅速にすることができる。
【００２３】
更に、締結具の頭部を中心側が厚くなるようにテ−パ−状に形成しその頭部の下面にも斜面部を形成しているので、その頭部下面の傾斜部を軟質の締結部材の取付孔の周縁部に押し当て、その周縁部を変形させて軟質の締結部材と硬質の締結部材を締結することができ、締結具の頭部を表面より殆ど突出させない状態で締結されるので見栄えがよく、しかも頭部のつけ根部分が厚くなっているので、丈夫であり、軟質の締結部材の取付孔の周縁部を十分に変形することができ、その上その変形された締結部材の取付孔周縁部の弾発作用によって強く締結することができ、緩まない。
【図面の簡単な説明】
【図１】  締結具の分解斜面図である。
【図２】  締結部材と被締結部材の取付孔に締結具を挿入する状態を示す断面図である。
【図３】  締結部材の取付孔周縁部に、締結具の締結具本体を押圧して係合する状態を示す断面図である。
【図４】  締結部材と被締結部材を締結具で締結した状態を示す断面図である。
【図５】  締結具の締結具本体のを示す拡大断面図である。
【符号の説明】
１  締結具    ３  孔    ４  締結具本体    ５  ピン    ８  係止部
９  溝    １０  斜面部    １３、１４  取付孔    １８  凸部    ２０  凹部
【図１】
0003668961.tif 000002
【図２】
0003668961.tif 000003
【図３】
0003668961.tif 000004
【図４】
0003668961.tif 000005
【図５】
0003668961.tif 000006